(57)【要約】      （修正有）【課題】部材を脱着することなく、簡単な操作で一部または全部を、食品トレイなどの皿類やペットボトルが立てられるレイアウトとすることができるシンク用水切りラックを提供する。【解決手段】枠内に矩形状の開口を形成する側枠を有し、シンク上に架け渡されるフレーム１と、該フレームの前記開口内に水平に並列して棚部を形成する複数の棚棒材２を備え、前記フレームは、対向する一対の側枠それぞれに、前記棚棒材の一端が陥入する凹陥部と、該凹陥部と対向して、前記棚棒材の他端を下側から支持して当該棚棒材を水平に保持する水平支持部とを交互に設けると共に、さらに前記凹陥部には側枠の長手方向に軸を設けてなり、前記棚棒材は、水平から直立する範囲で回動自在に、一端を前記軸に軸支した。棚棒材は、一端の長手方向に凹陥部の軸に軸支される長孔を有する共に、前記凹陥部の前記軸の直下には直立状態にある棚棒材の一端が挿入する縦穴部を設けた。【選択図】図１０
2014012115.tif 000002
【特許請求の範囲】
【請求項１】
枠内に矩形状の開口を形成する側枠を有し、シンク上に架け渡されるフレームと、
該フレームの前記開口内に水平に並列して棚部を形成する複数の棚棒材とを備え、
前記フレームは、対向する一対の側枠それぞれに、前記棚棒材の一端が陥入する凹陥部と、該凹陥部と対向して、前記棚棒材の他端を下側から支持して当該棚棒材を水平に保持する水平支持部とを交互に設けると共に、さらに前記凹陥部には側枠の長手方向に軸を設けてなり、
前記棚棒材は、水平から直立する範囲で回動自在に、一端を前記軸に軸支したことを特徴とするシンク用水切りラック。
【請求項２】
棚棒材は、一端の長手方向に凹陥部の軸に軸支される長孔を有する共に、前記凹陥部の前記軸の直下には直立状態にある棚棒材の一端が挿入する縦穴部を設けた請求項１記載のシンク用水切りラック。
【請求項３】
長孔の下面一部を切り欠いて、軸に無理嵌めするスリットを設けた請求項２記載のシンク用水切りラック。
【請求項４】
軸は、凹陥部の内部対壁に対向して設けた一対のボスであり、棚棒材は、長孔を連通して設けた左右の側面部間に、前記棚棒材の上面部から垂直な面板部を前記棚棒材の長手方向に沿って一体に有する請求項２または３記載のシンク用水切りラック。
【請求項５】
面板部は、スリットに対応する部分に、無理嵌めによりボスに係止する鉤部を有する請求項４記載のシンク用水切りラック。
【請求項６】
面板部は、左右に分割され、該分割された面板部それぞれは、鉤部がボスを通過するときに内側に弾性的に撓むことを特徴とする請求項５記載のシンク用水切りラック。
【請求項７】
棚棒材は、ペットボトルの口部に差し込み自在な太さである請求項１から６のうち何れか一項記載のシンク用水切りラック。
【請求項８】
フレームは、凹陥部の成形時に軸を一体成形した請求項１から７のうちいずれか一項記載のシンク用水切りラック。
【発明の詳細な説明】
【技術分野】
【０００１】
この発明は、シンク上に架け渡して使用する水切りラックに関するものである。
【背景技術】
【０００２】
従来、シンク上に架け渡して使用する水切りラックとしては、食器の収容部をステンレスなどの線材で立体的且つ格子状に構成したカゴ型がある（特許文献１等）。しかし、このカゴ型の場合、食器収容部がシンク内に迫り出すため、水切り中の食器等に水がかかりやすく、また、該収容部直下のシンク部分がデッドスペース化するという不便もある。
【０００３】
そこで、食器を載置する部分を、板材に水切り穴を設けた棚板で構成したり（特許文献２等）、パイプを数本間隔を空けて並設したパイプ棚で構成した水切りラック（特許文献３等）が提案されており、これらは食器を載置する棚板やパイプ棚がシンクの開口面と同じ高さとなるため、上記カゴ型のように、水切り中の食器等に水がかかりにくく、また、ラック下のシンク部分がデッドスペース化することもない。
【先行技術文献】
【特許文献】
【０００４】
【特許文献１】特開２００９−１０１０２６号公報
【特許文献２】実用新案登録第３１２４２６３号公報
【特許文献３】実用新案登録第３０１０９１３号公報
【発明の概要】
【発明が解決しようとする課題】
【０００５】
ところで、台所での洗い物には食器以外、精肉や魚等の食品トレイや、ジュース等のペットボトルも含まれる。つまり、これらは資源ゴミとして分別回収されるが、それまでに臭いや雑菌が繁殖しないよう、その都度、各家庭で軽く洗い流し、水切りしておくのが普通であろう。しかし、通常の棚板型やパイプ棚型の水切りラックでは、食品トレイを立てることができず、また、ペットボトルも逆さに立てた状態とするには、余りにも不安定であった。
【０００６】
この点、特許文献２の流し用水切りでは、水切り板にビンの首部を差し込む支持穴を設けているため、洗浄後のペットボトルをこの支持穴に逆さに立てることはできるが、皿や蓋類を立てることはできず、食品トレイについても同様である。
【０００７】
一方、特許文献３の水切りラックは、組み立ての際にパイプの端部を圧入して保持する樹脂部に、上向き開口のピン穴を設けているため、必要に応じて、このピン穴にストレートピンを差し込んでおけば、ペットボトルを当該ピンに差し込むことで倒立状態に保持することができるとされている。この他、ピン穴にＵ字状ピンを一対差し込めば、Ｕ字状ピン間に皿も立てることができるとされている。
【０００８】
しかしながら、特許文献３の水切りラックの場合、ペットボトルや食品トレイ（皿類）を立てられるようなレイアウトにするには、ピンを一々差し込む手間があり、しかも、未使用ピンを紛失しないように保管しておく必要もある。また、ピン穴が設けられるのは樹脂部だけであるから、レイアウトの変更幅も小さい。
【０００９】
本発明は上述した課題を解決するためになされたものであり、その目的とするところは、部材を脱着することなく、簡単な操作で、しかも全体を、食品トレイなどの皿類やペットボトルが立てられるレイアウトとすることができるシンク用水切りラックを提供することである。
【課題を解決するための手段】
【００１０】
上述した目的を達成するために本発明では、枠内に矩形状の開口を形成する側枠を有し、シンク上に架け渡されるフレームと、該フレームの前記開口内に水平に並列して棚部を形成する複数の棚棒材とを備え、前記棚棒材それぞれの一端を、前記フレームの対向する一対の側枠に対して互い違いに、水平から直立する範囲で回動可能に軸支するという手段を用いた。
【００１１】
当該手段によれば、棚棒材が水平状態から直立状態、即ち０〜９０度の範囲で回動可能である。棚棒材を水平状態としたときは、通常の水切り棚（簀の子）として使用することができ、任意に２以上の棚棒材を直立させれば、当該棚棒材間の空間に皿や蓋、さらには食品トレイなども立てかけて水切りすることができる。また、棚棒材として、太さがペットボトルの口径よりも小さいものを採用すれば、これを直立させ、ペットボトルを逆さに差し込んで水切りすることもできる。
【００１２】
棚棒材は上述のように一端を回動自在に軸支した片持ち状であるため、水平時の耐荷重を高めるために、前記一対の側枠それぞれは、棚棒材が水平のとき、その他端が係止する水平支持部を有する。
【００１３】
さらに、棚棒材を直立の状態で固定するために、棚棒材は、一端に凹陥部の軸に軸支される長孔を有して、直立時に該長孔に沿って上下動自在とし、前記凹陥部の前記軸の直下には前記直立状態にある棚棒材の一端が挿入する縦穴部を設けることが好ましい。
【００１４】
棚棒材を過度な直立方向の回転操作による折損から防護するため、軸は、凹陥部の内部対壁に対向して設けた一対のボスであり、棚棒材は、長孔を連通して設けた左右の側面部間に、前記棚棒材の上面部から垂直な面板部を前記棚棒材の長手方向に沿って一体に有することが好ましい。面板部は、棚棒材の曲げ強度を高める力板としての機能を発揮するからである。
【００１５】
面板部は、スリットに対応する部分に、無理嵌めによりボスに係止する鉤部を有することで、棚棒材の補強構造と、フレームに対する取付構造を面板部にまとめることができる。
【００１６】
特に、左右に分割され、該分割された面板部それぞれは、鉤部がボスを通過するときに内側に弾性的に撓むことで、比較的小さな力で当該取り付け作業を行うことができる。
【００１７】
また、前記一対の側枠それぞれは、上面内側に棚棒材の厚みに対応した深さを有する凹陥部を有し、この凹陥部に前記回動軸を設けたので、棚棒材の水平時にフレーム（一対の側枠）と面一となり、凹凸が少なくことなることから、食器等を安定して載置することができる。
【００１８】
なお、本発明において、フレームと棚棒材はプラスチックによる射出成形を想定しており、そのため、特にフレームについては、凹陥部の成形時に軸を一体成形することで、フレームが完成した段階で、軸も同時成形されているから、軸を別部材として用意し、これをフレームに組み付ける手間がなくなる。
【発明の効果】
【００１９】
本発明によれば、フレームの開口内側に水平に架設される棚棒材そのものを直立状態とすることができるため、別途部材を用いることなく、棚棒材を直立状態とすれば、これにペットボトルを差し込んで水切りしたり、２以上の棚棒材を直立させれば、その間に皿や食品トレイを立てかけて水切りすることができ、どの棚棒材を直立させるかは任意であるから、使用者の必要に応じてレイアウトの変更も可能である。
【００２０】
また、水平支持部によって棚棒材の水平強度が高まるため、ガラスのコップなどの比較的重量の大きい食器であっても載置することができる。
【００２１】
さらに、棚棒材を直立させたとき、その一端がフレームの縦穴部に嵌入するように構成したので、棚棒材をぐらつきなく、しっかりと直立させることができ、食器等を立てても不用意に倒れることがない。
【００２２】
また、棚棒材の長孔を仕切って左右側面部間に垂直な面板部を設けて上面部の曲げ強度を強化したので、過度に棚棒材を回転しても、棚棒材の折損を防止することができる。
【００２３】
また、フレームに棚棒材の厚みに応じた凹陥部を設け、この部分に棚棒材の一端を軸支するので、水平時に棚棒材とフレームが面一となり、コップや茶碗などを安定して載置することができる。
【００２４】
さらにまた、フレームの成形時に、回動軸等を一体成形したので、別部材として回動軸を用意する必要がなく、製造や組み立てにかかるコストを低減することができる。
【図面の簡単な説明】
【００２５】
【図１】本発明の一実施形態に係るシンク用水切りラックの全体斜視図
【図２】同ラックにおけるフレームの平面図
【図３】図２のＡ−Ａ線断面図
【図４】図２のＢ−Ｂ線断面図
【図５】同ラックにおける棚棒材の主要五面図
【図６】棚棒材をフレームに取り付けた状態の主要部を示す断面図（水平状態）
【図７】同（直立状態）
【図８】同ラックの棚棒材一部を直立状態としたレイアウト例を示す平面図
【図９】同側面図
【図１０】同ラックの使用例を示す斜視図
【図１１】同ラックの別のレイアウト例を示す斜視図
【図１２】同、棚棒材の過度な回転操作を示した説明図
【図１３】本発明の第二実施形態に係るシンク用水切りラックのフレームの凹陥部の拡大斜視図
【図１４】同、棚棒材の斜視図
【図１５】同、棚棒材を裏返したときの斜視図
【図１６】同、棚棒材の平面、正面、底面および各種断面を示した説明図
【図１７】同、棚棒材の取り付け手順を示す説明図
【図１８】同、棚棒材の過度な直立操作を示す説明図
【図１９】同、棚棒材における面板部の変形例を示した断面図
【発明を実施するための形態】
【００２６】
以下、本発明の好ましい実施の形態を添付した図面に従って説明する。図１は本発明の一実施形態に係る水切りラックの全体斜視図であり、その基本的構成は、シンク（図示せず）の前後方向（流し台の奥行き方向）に長い矩形状のフレーム１の左右側枠１ａ・１ｂ間に、複数本（本実施形態では１４本）の食器を支持する角棒状の棚棒材２を間隔３を空けて平行に設けて簀の子状の水切り棚４となし、該水切り棚４の前後両端には、シンクの上部周縁に掛止するコ字状のアーム５・５をそれぞれ設けたものである。なお、５ａはアーム５・５の滑り止め用ゴム管である。
【００２７】
各部材の構成並びに組図構造について詳説すると、まずフレーム１は、図２に示すように、左右側枠１ａ・１ｂの両端に前後側枠１ｃ・１ｄを一体に設けて、これら四周枠１ａ〜１ｄの内側を上下に開口した窓枠状を呈し、左右側枠１ａ・１ｂには、棚棒材２の一端（基端）を上向きに回動可能に支持する軸支部６と、この軸支部６と対向して、棚棒材２の他端（先端）に係止する水平支持部７をそれぞれ設けている。
【００２８】
当該フレーム１における棚棒材２の軸支部６は、図３・４に示すように、左右側枠１ａ・１ｂの上面内角に、棚棒材２の厚みに対応した深さを有し、該棚棒材２の一端が陥入する角溝状の凹陥部６ａを形成すると共に、該凹陥部６ａの内部対壁に側枠１ａ・１ｂの長手方向に沿って水平に回動軸６ｂを一体的に設けた構成である。なお、図４に示すように、この凹陥部６ａにおいて前記回動軸６ｂの直下は上下に貫通し、後述する棚棒材２が直立のとき、その一端が挿入する縦穴部６ｃを有している。一方、水平支持部７は、左右側枠１ａ・１ｂの内側面からフレーム１内部に向かって垂直に突設した丸ピン状の突起である。
【００２９】
これら軸支部６と水平支持部７は、対向するもの同士を一組として、各棚棒材２を支持するが、軸支部６と水平支持部７の組合せは、図２から明らかなように、左側枠１ａと右側枠１ｂとで互い違いに設けている。即ち、この実施形態の場合、棚棒材２の数（１４本）に応じて、左右側枠１ａ・１ｂそれぞれに各７個の軸支部６と水平支持部７を設けているが、左側枠１ａと右側枠１ｂとで互いの軸支部６と水平支持部７が常に対向するように、並び順を互い違いとしているのである。
【００３０】
次に、棚棒材２は、図５に示すように、幅と厚みを有する角棒状であって、本実施形態ではペットボトルの口部に差し込むことができる１０ｍｍ角のものを用いている。そして、この棚棒材２は、図６に示すように、その一端２ａ（基端）をフレーム１の左右側枠１ａ・１ｂに設けた軸支部６に取り付けて水平状態としたとき、他端２ｂ（先端）が水平支持部７に係止される長さを有する。
【００３１】
さらに、この実施形態における棚棒材２の主要部を図６にしたがって説明すると、その一端２ａ（基端）には、フレーム１の左右側枠１ａ・１ｂに設けた前記軸支部６の回動軸６ｂに挿通支持される長孔２ｃを該棚棒材２の長手方向に沿って設けている。また、この実施形態の場合、長孔２ｃの下面他端寄りに、回動軸６ｂに嵌め込むスリット２ｄを設けており、このスリット２ｄの開口幅を回動軸６ｂよりも若干小さく設定することによって、回動軸６ｂを無理嵌めの状態で長孔２ｃ内に嵌め込むことができ、以降、不用意に棚棒材２がフレーム１から外れることがない。
【００３２】
このようにフレーム１に取り付けた棚棒材２は、回動軸６ｂ回りに回動可能である。即ち、図６に示した水平状態では、棚棒材２は回動軸６ｂと水平支持部７間に架設され、この状態から棚棒材２の先端２ｂ側を指で起き上がらせれば、図７に示したように、垂直に起立させることができる。
【００３３】
しかも、この実施形態では、回動軸６の軸支部を単なる円孔ではなく長孔２ｃとしているため、棚棒材２を直立させて手を離せば、棚棒材２が長孔２ｃに沿って自重により直立のまま落下し、その一端２ａ（基端）がフレーム１の軸支部６の縦穴部６ｃに挿入することにより、棚棒材２を直立の状態に固定することができる。
【００３４】
逆に、直立状態にある棚棒材を水平状態に戻すには、一度、棚棒材２を真上に引き上げて一端２ａを縦穴部６ｃから抜き出し、先端２ｂを水平支持部７側に倒すように回せばよい。
【００３５】
上記棚棒材２は、フレーム１において軸支部６及び水平支持部７の組を左右側枠１ａ・１ｂで互い違いに設けたことにより、図８・９に示すように、左右側枠１ａ・１ｂに対して隣合うもの同士交互に０〜９０度の範囲で回動可能に軸支される。そして、２以上の棚棒材２を水平状態としたときは、隣合う棚棒材２間の間隔３を排水部としてコップや茶碗などを載置可能な平板状の水切り棚（簀の子）となり（図８の下側参照）、２以上の棚棒材２を直立状態としたときは、隣合う棚棒材２間に皿などの平たい食器類を立てかけることができる空間８が形成される（図９の右側参照）。
【００３６】
したがって、図１の状態から図１０に示すように、隣合う２以上の棚棒材２を直立させれば、その間に食品トレイＴを立てかけることができ、また、別の直立した棚棒材２にはペットボトルＢを差し込むことができる。また、棚棒材２の一部を水平状態にしておけば、その部分にはグラスＧを逆さにして水切りすることができる。
【００３７】
もちろん、図１１に示すように、全ての棚棒材２を直立させることも可能であることから、この実施形態の水切りラックによれば、一々別部材を脱着することなく、棚棒材２を回動させるという簡単な操作で、水切りのレイアウトを多彩に変更することができる。
【００３８】
なお、本発明は上記実施形態に限定することなく種々の変更が可能である。例えば、上記実施形態ではフレーム１における棚棒材２の回動軸６ｂを軸支部６ごとに設けた。これはフレーム１をプラスチックで射出成形する際、軸支部６の凹陥部６ａと回動軸６ｂを同時成形することができるからであるが、変更例としては、フレーム１の成形後、別途、丸棒を左右側枠１ａ・１ｂに挿入し、この丸棒で全軸支部６の回動軸を一括に構成してもよい。
【００３９】
また、水平支持部７は、円柱状の突起に限らず、棚棒材２の先端を支持するものであれば、板状その他の形状であってもよく、逆に、軸支部６と同様に左右側枠１ａ・１ｂの上面内角に凹陥部を形成し、この凹陥部に棚棒材２の先端を嵌入するようにしてもよい。さらに、棚棒材２と軸支部の強度が十分保たれる場合には、水平支持部７を省略し、棚棒材２の一端のみを支持する片持ちであってもよい。
【００４０】
棚棒材２についても、上記実施形態のように角棒状であれば、水平状態のときに平板状の水切り棚を形成し、安定して食器を載置できることから好ましいが、水平時に食器を載置できる形状であれば、丸棒状その他であってもよい。
【００４１】
さらに、上記実施形態では、フレーム１をシンク上に架け渡すための端部係止構造としてコ字状のアーム５・５を採用した。当該アーム５・５については、図８に示すように、フレーム１内に収容可能に伸縮することで、実際にシンクの上縁に係止するゴム管５ａの突出長を調整できることから、サイズが異なるシンクにも適用することができる。ただし、当該伸縮構造は、これに限定されず、外管と内管の二重管としたり、さらに、アーム５・５を別部材とせず、フレーム１の前後側枠１ｃ・１ｄにフック等を一体成形してもよい。
【００４２】
ところで、棚棒材２を直立させるときに、棚棒材２を勢い余って９０度を超えて回転させようとすると、図１２に示すように、フレーム１の凹陥部６ａの角部６ａ’に棚棒材２の上面一端側２ａ’が接触して回転が停止する。この接触面２ａ’は、棚棒材２の先端２ｂを力点、フレーム１の回動軸６ｂを支点として、その間に位置することから、力学上、いわゆる第二種テコの作用点となり、必ず棚棒材２の先端２ｂに加えた力よりも大きな力が加わることになる。特に、上記実施形態では、フレーム１側の回動軸６ｂを凹陥部６ａの内部対壁間に架設した一本の連続する棒状に構成し、該回動軸６ｂに対応して、棚棒材２の長孔２ｃを左右に貫通する空洞状に形成しているため、棚棒材２を回す力加減によっては、棚棒材２が前記接触面２ａ’から折損するおそれがある。
【００４３】
そこで、このような折損事故を防止するための構成を第二の実施形態として説明する。まず、この実施形態では、フレーム１０の凹陥部１１に設ける回動軸を、図１３に示すように、左右に分割した。つまり、この実施形態における回動軸は、凹陥部１１の内部対壁１１ａ・１１ｂそれぞれに、円柱状のボス１２・１３を向かい合わせに一対設けてなる。なお、この実施形態では、ボス１２・１３の先端上半を斜めに切り欠いて、該ボス１２・１３を後述する棚棒材の長孔に嵌め込みやすくする傾斜面１２ａ・１３ａを設けている。
【００４４】
これに対して棚棒材２０は、図１４〜１６に示すように、底面を開口した細長い箱状体の左右の側面部２１・２２それぞれに、一端（基端）側に位置して、前記ボス１２・１３が嵌合する溝状の長孔２３・２４を該棚棒材２０の長手方向に凹設している。また、長孔２３・２４それぞれの下面一部には、前記ボス１２・１３それぞれを各長孔２３・２４内に案内するスリット２５・２６を設けている。
【００４５】
そして、該長孔２３・２４を設けた左右側面部２１・２２間には、棚棒材２０の上面部２７の裏面中央から垂直に二枚平行な面板部２８・２９を棚棒材２０の長手方向に沿って一体に設けている。これら面板部２８・２９は、溝状の長孔２３・２４の形成範囲で棚棒材２０の上面部２７の曲げ強度を補強し、棚棒材２０の反りを防止する。また、この実施形態の面板部２８・２９は、図１６の各断面図に示されるように、長孔２３・２４の底としても機能する。つまり、この実施形態では、長孔２３・２４それぞれは、面板部２８・２９によってボス１２・１３に対応する深さの有底の凹溝状に形成されている。上記第一実施形態との関係では、面板部２８・２９がないものとすれば、長孔２３・２４は左右連通する点で共通する。
【００４６】
そして、面板部２８・２９のスリット２５・２６に対応する下端それぞれには、図１６のＣ−Ｃ線断面に示すように、三角形状の鉤部２８ａ・２９ａを設けている。これら鉤部２８ａ・２９ａは、図１７に示すように、当該棚棒材２０をフレーム１０の凹陥部１１に上方から嵌め込む際（図１７（ａ））、ボス１２・１３の上半傾斜面１２ａ・１３ａに案内されて、面板部２８・２９を内側に弾性的に撓らせることによって（図１７（ｂ））、ボス１２・１３が長孔２３・２４に嵌合した後（図１７（ｃ））、面板部２８・２９が元の垂直状態に弾性的に復元することで、以降、ボス１２・１３と係止して、棚棒材２０の抜け止めとして機能する。
【００４７】
この第二実施形態の水切りラックによれば、棚棒材２０の上面部２７の裏側に面板部２８・２９を垂直に設けて該部の反りを防止しているため、図１８に示すように、仮に棚棒材２０を９０度を超えて回転させ、フレーム１０の凹陥部１１の角部１１ｃに棚棒材２０の上面部２７が強く接触したとしても、棚棒材２０が当該接触面から折損することがない。
【００４８】
なお、面板部を棚棒材２０の全長にわたって設ければ、棚棒材２０全体の曲げ強度を高めることができる。また、上記第二実施形態では、二枚の面板部２８・２９を採用したが、図１９に示すように、上面部３０の中央に一枚の面板部３１を垂設することも可能である。この場合、厚みのある面板部３１となるため、補強の程度を大きくすることができる。その反面、鉤部３２・３３の間隔が保持されるため、無理嵌めする際に大きな力が必要となる。また、上面部３０の厚みに比べて面板部３１の厚みが大きすぎると、プラスチックの硬化収縮差によって、上面部側にヒケが生じて見栄えが悪くなるため、こうした観点からは、面板部を左右二枚に分割することが好ましい。
【符号の説明】
【００４９】
１  フレーム
１ａ  左側枠
１ｂ  右側枠
２  棚棒材
２ｃ  長孔
５  アーム
６ａ  軸支部
６ｂ  回動軸
６ｃ  縦穴部
７  水平支持部
１０  フレーム
１１  凹陥部
１２・１３  ボス
２０  棚棒材
２１・２２  左右の側面部
２３・２４  長孔
２７  上面部
２８・２９  面板部
【図１】
2014012115.tif 000003
【図２】
2014012115.tif 000004
【図３】
2014012115.tif 000005
【図４】
2014012115.tif 000006
【図５】
2014012115.tif 000007
【図６】
2014012115.tif 000008
【図７】
2014012115.tif 000009
【図８】
2014012115.tif 000010
【図９】
2014012115.tif 000011
【図１０】
2014012115.tif 000012
【図１１】
2014012115.tif 000013
【図１２】
2014012115.tif 000014
【図１３】
2014012115.tif 000015
【図１４】
2014012115.tif 000016
【図１５】
2014012115.tif 000017
【図１６】
2014012115.tif 000018
【図１７】
2014012115.tif 000019
【図１８】
2014012115.tif 000020
【図１９】
2014012115.tif 000021